(57)【要約】      （修正有）【課題】マルチ画面表示中に、見逃しの発生を抑制する。【解決手段】テレビジョン放送受信装置１００は、録画再生制御部２２と、表示制御部４０を備える。録画再生制御部２２は受信した複数の番組をＨＤＤ１７に録画し、再生する。表示制御部４０は複数の録画番組を並べて表示するマルチ画面表示を実行する。第１の画面と第２の画面とを表示している場合に、操作権を有する第２の画面に特殊再生を実行すると、第１の画面については一時停止する。第２の画面の再生が再開されると第１の画面についても連動して再生を再開する。【選択図】図３
2011217188.tif 000002
【特許請求の範囲】
【請求項１】
複数のチャンネルの中から選択されたチャンネルの映像信号を受信する放送受信部と、
前記放送受信部にて受信したチャンネルの映像信号を記録媒体に記録する記録制御部と、
前記記録制御部により記録された複数のチャンネルの映像信号により生成される複数の画面を同一画面上に並べた映像信号を出力する映像処理部と、
前記複数の画面の内、操作可能な第１の画面に対して特殊再生を実行中、前記第１の画面と並べて表示される第２の画面を一時停止する表示制御部と、
を有することを特徴とする放送受信装置。
【請求項２】
前記表示制御部は、前記第１の画面の特殊再生を終了し再生を再開すると、前記第２の画面の再生を再開することを特徴とする請求項１に記載の放送受信装置。
【請求項３】
前記表示制御部は、特殊再生を指示する操作権が前記第１の画面から前記第２の画面に遷移された場合、前記第１の画面の再生を一時停止することを特徴とする請求項１に記載の放送受信装置。
【請求項４】
前記表示制御部は、特殊再生を指示する操作権が前記第１の画面から前記第２の画面に遷移された場合、前記第１の画面の再生を一時停止し、前記第２の画面で所定時間操作が実行されない場合には前記第１の画面の再生を再開することを特徴とする請求項１に記載の放送受信装置。
【請求項５】
前記記録制御部は、前記放送受信部にて受信した映像信号を、一のチャンネルの映像信号を記録する第１の記録方法と、複数のチャンネルの映像信号を記録する第２の記録方法との何れかで記録し、
前記表示制御部は、前記第２の記録方法で記録した複数のチャンネルの映像信号により生成される複数の画面を同一画面上に並べて表示する場合、前記第１の画面に対して特殊再生を実行中に、前記第２の画面に前記第１の画面と同様の特殊再生を実行するか否かを選択可能であることを特徴とする請求項１に記載の放送受信装置。
【請求項６】
更に、前記映像処理部で出力される映像信号を表示する表示装置を備えることを特徴とする請求項１乃至請求項５のいずれか１項に記載の放送受信装置。
【請求項７】
複数のチャンネルの中から選択されたチャンネルの映像信号を受信し、
前記受信したチャンネルの映像信号を記録媒体に記録し、
前記記録された複数のチャンネルの映像信号により生成される複数の画面を同一画面上に並べて表示し、
前記複数の画面の内、操作可能な第１の画面に対して特殊再生を実行中、前記第１の画面と並べて表示される第２の画面を一時停止することを特徴とする表示制御方法。
【発明の詳細な説明】
【技術分野】
【０００１】
本発明は放送受信装置及び表示制御方法に関する。
【背景技術】
【０００２】
近年、デジタル機器の普及と共にハードディスクレコーダ等の放送受信装置が一般化している。このような放送受信装置においては、放送波から得られた映像と、ハードディスク等に記録された記録映像とを表示することができる（例えば、特許文献１参照）。
【０００３】
特許文献１には、放送映像及び蓄積映像を表示する表示モードから、放送映像だけを表示する表示モードに切り替えた場合は蓄積映像の再生を自動的に一時停止し、放送映像だけを表示するモードから放送映像及び蓄積映像を表示する表示モードに切り替えた場合は蓄積映像の再生を自動的に再生することが開示されている。
【０００４】
また、同時に放送された複数の番組を記録して、記録した複数の番組を再生する場合に、番組ごとに異なる再生速度で再生することが行われている（例えば、特許文献２参照）。
【０００５】
特許文献２には、複数の番組を切り替えて再生する場合に、１の番組については倍速で再生することで、複数の番組の再生時間を短縮できることが開示されている。
【先行技術文献】
【特許文献】
【０００６】
【特許文献１】特開２００４−２２１９３４号公報
【特許文献２】特開２００５−３０３９２０号公報
【発明の概要】
【発明が解決しようとする課題】
【０００７】
近年、ディスプレイにユーザが選択した複数の番組を表示するマルチ画面表示を行うことができる放送受信装置も登場している。このマルチ画面表示を行って複数の番組を視聴している際に、ユーザが１の画面に注目したい状況が生じ得る。例えば、１の画面に早送りや巻き戻し等を行う場合は、再生を再開する位置をユーザが決定する必要がある。このように、１の画面に注目して操作を行う場合には、マルチ画面表示における他の画面を見ることは難しく、他の画面において再生が進むことで見逃しが起こってしまう。見逃した場面を視聴するためには、画面の操作権を遷移させて巻き戻さなければならず、ユーザにとって不便であった。そこで、マルチ画面表示中に１の画面を操作する場合には、他の画面は一時停止することが望ましい。
【０００８】
本発明は、上述した点に鑑みてなされたものであり、マルチ画面表示中に、見逃しの発生を抑制することのできる放送受信装置及び表示制御方法を提供することを目的とする。
【課題を解決するための手段】
【０００９】
上記目的を達成するために、本発明に係る放送受信装置は、複数のチャンネルの中から選択されたチャンネルの映像信号を受信する放送受信部と、前記放送受信部にて受信したチャンネルの映像信号を記録媒体に記録する記録制御部と、前記記録制御部により記録された複数のチャンネルの映像信号により生成される複数の画面を同一画面上に並べた映像信号を出力する映像処理部と、前記複数の画面の内、操作可能な第１の画面に対して特殊再生を実行中、前記第１の画面と並べて表示される第２の画面を一時停止する表示制御部と、を有することを特徴としている。
【００１０】
また、本発明に係る表示制御方法は、複数のチャンネルの中から選択されたチャンネルの映像信号を受信し、前記受信したチャンネルの映像信号を記録媒体に記録し、前記記録された複数のチャンネルの映像信号により生成される複数の画面を同一画面上に並べて表示し、前記複数の画面の内、操作可能な第１の画面に対して特殊再生を実行中、前記第１の画面と並べて表示される第２の画面を一時停止することを特徴としている。
【発明の効果】
【００１１】
本発明によれば、マルチ画面表示中に、見逃しの発生を抑制することのできる放送受信装置及び表示制御方法を提供することが実現する。
【図面の簡単な説明】
【００１２】
【図１】各実施の形態におけるテレビジョン放送受信装置の外観図。
【図２】各実施の形態におけるテレビジョン放送受信装置が備えるリモートコントローラの外観図。
【図３】各実施の形態におけるテレビジョン放送受信装置の機能ブロック図。
【図４】第１の実施の形態におけるマルチ画面表示の一例を示す図。
【図５】第１の実施の形態におけるマルチ画面表示における表示制御を示す第１の図。
【図６】第１の実施の形態におけるマルチ画面表示における表示制御を示す第２の図。
【図７】第１の実施の形態におけるマルチ画面表示における表示制御を示す第３の図。
【図８】第１の実施の形態におけるマルチ画面表示制御のフローチャートを示す図。
【図９】第２の実施の形態におけるマルチ画面表示における表示制御を示す第１の図。
【図１０】第２の実施の形態におけるマルチ画面表示における表示制御を示す第２の図。
【図１１】第２の実施の形態におけるマルチ画面表示における表示制御を示す第３の図。
【図１２】第２の実施の形態におけるマルチ画面表示制御のフローチャートを示す図。
【発明を実施するための形態】
【００１３】
以下、図１〜図１２を用いて、本発明の実施の形態について説明する。
本発明に係る放送受信装置として、テレビジョン放送受信装置１００を例に説明をする。本実施の形態におけるテレビジョン放送受信装置１００は、複数の画面を並べて表示するマルチ画面表示を行うことができる。マルチ画面表示とは、１つのメイン画面と、１つ以上のサブ画面から構成される。メイン画面とは、出力される音声に対応させた映像を出力するものであり、サブ画面とは映像のみが出力されるものである。
【００１４】
図１は、各実施の形態におけるテレビジョン放送受信装置１００の外観図である。尚、各実施の形態では、本発明に係る放送受信装置としてテレビジョン放送受信装置１００を例に説明するが、これに限定されることはない。即ち、放送受信装置、放送受信機能付き携帯電話、放送受信機能付きパーソナルコンピュータ、及び放送受信装置が搭載された映像記録装置等、放送受信装置を備えた機器であれば何でも良い。また、放送は空中を伝播してくる電波を受信するものに限らず、ケーブルやＩＰ（インターネット・プロトコル）網等のネットワークを介して放送局から配信される番組を受信可能な放送でも良い。
【００１５】
テレビジョン放送受信装置１００は、主として薄型のキャビネット１１０と、これを支持する支持台１２０とから構成されている。キャビネット１１０は、後述するチューナ３等の電子装置を格納する。また、キャビネット１１０の正面中央部にディスプレイ１３０が配置され、ディスプレイ１３０の下部にはスピーカ１４０が配置されステレオ音声再生が行えるようになっている。ディスプレイ１３０は、例えばＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）パネル、ＬＣＤ（Ｌｉｑｕｉｄ  Ｃｒｙｓｔａｌ  Ｄｉｓｐｌａｙ）パネル等である。
【００１６】
キャビネット１１０の正面下部には、リモートコントローラ１５０から無線送信された操作信号を受信するための受信部２４が設けられる。また、テレビジョン放送受信装置１００の側面には、電源スイッチ等の操作部２３が配置されている。テレビジョン放送受信装置１００は、図示しないプラグを介して外部から電力供給を受け、後述するアンテナ１を介して各種の放送波を受信して、この受信した放送波の信号をデコードすることにより映像信号、及び音声信号を出力する。ディスプレイ１３０はデコードされた映像信号を処理して映像を表示し、スピーカ１４０はデコードされた音声信号を処理して音声を出力する。
【００１７】
尚、本実施の形態においては、キャビネット１１０内にチューナ３等の電子装置を格納するとしたが、これに限定されることはない。即ち、チューナ３等の電子装置をキャビネット１１０とは別の筐体に格納し、その筐体とテレビジョン放送受信装置１００とを接続して、テレビジョン放送受信装置１００に備えられるディスプレイ１３０及びスピーカ１４０にて映像音声を出力するとしても良い。
【００１８】
次に、図２を用いてテレビジョン放送受信装置１００に設けられるリモートコントローラ１５０の構造について説明する。
図２は、各本実施の形態におけるテレビジョン放送受信装置１００が備えるリモートコントローラ１５０の外観図である。
リモートコントローラ１５０は、電源キー１５０ａと、放送切替キー１５０ｂと、ダイレクト選局キー１５０ｃと、音量調節キー１５０ｄと、チャンネルアップダウンキー１５０ｅと、カーソルキー１５０ｆと、決定キー１５０ｇと、青、赤、緑、黄のカラーキー１５０ｈと、特殊再生キー１５０ｉと、マルチ画面キー１５０ｊと、タイムシフトキー１５０ｋ、番組表キー１５０ｌとを備え、概略構成されている。
【００１９】
電源キー１５０ａは、テレビジョン放送受信装置１００の電源のオン／オフの切り替えの指示をするためのキーである。放送切替キー１５０ｂは、テレビジョン放送受信装置１００にて表示する放送を地上波デジタル放送、ＢＳデジタル放送及びＣＳデジタル放送との間で切り替える指示をするためのキーである。ダイレクト選局キー１５０ｃは、それぞれのキーと対応するチャンネルをテレビジョン放送受信装置１００にて表示する指示をするためのキーである。音量調節キー１５０ｄは、スピーカ１４０から出力する音量を変更する指示をするためのキーである。
【００２０】
チャンネルアップダウンキー１５０ｅは、テレビジョン放送受信装置１００にて表示するチャンネルをチャンネル番号順に変更する指示をするためのキーである。カーソルキー１５０ｆは、ディスプレイ１３０に表示される項目を選択するカーソルを移動させる指示をするためのキーである。決定キー１５０ｇは、カーソルキー１５０ｆが位置する項目を選択する指示をするためのキーである。
【００２１】
カラーキー１５０ｈは、マルチ画面表示中に表示する画面数を指定する指示をするためのキーである。例えば、カラーキー１５０ｈの青キーが２画面、赤キーが４画面、緑キーが６画面、黄キーが８画面のマルチ画面を表示する指示するためのキーであるとする。特殊再生キー１５０ｉは、早送り、巻き戻し、停止、再生、次番組ステップ、前番組ステップ等の特殊再生の指示をするためのキーである。マルチ画面キー１５０ｊは、ディスプレイ１３０にて表示する画面をマルチ画面表示に切り替える指示をするためのキーである。
【００２２】
タイムシフトキー１５０ｋは、後述する第２の録画方法により同時録画した番組を表示する過去番組表を表示させるためのキーである。過去番組表とはチャンネルごとに時間軸に沿って録画した番組を表示したものである。番組表キー１５０ｌは、ＥＰＧ（Ｅｌｅｃｔｒｏｎｉｃ  Ｐｒｏｇｒａｍ  Ｇｕｉｄｅ）情報に基づいて放送中の番組表を表示させるためのキーである。それぞれのキーが操作されると、指示の内容を示す操作信号が、受信部２４を介して図３に示す制御部１８に入力される。
【００２３】
次に、図３を用いて、マルチ画面表示を行うテレビジョン放送受信装置１００の機能について説明する。図３は、各実施の形態におけるテレビジョン放送受信装置１００の機能ブロック図である。
【００２４】
テレビジョン放送受信装置１００は、アンテナ１と、入力端子２と、チューナ３と、ＴＳ（Ｔｒａｎｓｐｏｒｔ  Ｓｔｒｅａｍ）処理部１１と、信号処理部１２と、グラフィック処理部１３と、ＯＳＤ（Ｏｎ  Ｓｃｒｅｅｎ  Ｄｉｓｐｌａｙ）信号生成部１４と、音声処理部１５と、映像処理部１６と、ＨＤＤ（Ｈａｒｄ  Ｄｉｓｋ  Ｄｒｉｖｅ）１７と、制御部１８と、操作部２３と、受信部２４と、第１のカードＩ／Ｆ（Ｉｎｔｅｒｆａｃｅ）２５と、第１のカードホルダ２６と、第２のカードＩ／Ｆ２８と、第２のカードホルダ２９と、明るさセンサ３１と、通信Ｉ／Ｆ３２と、ＬＡＮ端子３３と、ＵＳＢ  Ｉ／Ｆ３４と、ＵＳＢ端子３５と、ｉ．ＬＩＮＫ  Ｉ／Ｆ３６と、ｉ．ＬＩＮＫ端子３７と、ＨＤＭＩ  Ｉ／Ｆ３８と、ＨＤＭＩ端子３９とを備える。
【００２５】
また、制御部１８は、ＲＯＭ（Ｒｅａｄ  Ｏｎｌｙ  Ｍｅｍｏｒｙ）１９と、ＲＡＭ（Ｒａｎｄｏｍ  Ａｃｃｅｓｓ  Ｍｅｍｏｒｙ）２０と、不揮発性メモリ２１を備え、表示制御部４０を有している。
【００２６】
アンテナ１は、放送形式として地上波デジタル放送、ＢＳデジタル放送及びＣＳデジタル放送等を受信することができるように構成されたアンテナである。
入力端子２は、アンテナ１から受信した放送信号を複数のチューナ３に入力する。
チューナ３は、制御部１８からの制御信号により所望のチャンネルの放送信号を選局し、この選局された放送信号を復調（地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調、ＢＳデジタル放送及びＣＳデジタル放送の場合にはＰＳＫ（Ｐｈａｓｅ  Ｓｈｉｆｔ  Ｋｅｙｉｎｇ）復調）し、所望の番組を含んだトランスポートストリームを得てＴＳ処理部１１に入力する。
【００２７】
チューナ３は、地上波デジタル放送、ＢＳデジタル放送及びＣＳデジタル放送の３種類の中から放送信号の選局を行い、この選局されたチャンネルの放送信号を復調し、所望の番組を含んだトランスポートストリームを得てＴＳ処理部１１に入力する。チューナ３は、視聴を行うチャンネルが地上デジタル放送の場合にはＯＦＤＭ復調、ＢＳデジタル放送及びＣＳデジタル放送の場合にはＰＳＫ復調を行う。
【００２８】
チューナ３は、視聴を行うチャンネルを受信するチューナ３Ａと、録画を行うと設定されたチャンネルを受信する複数のチューナ３Ｂ及び３Ｃから構成されている。本明細書においては、チューナ３Ａを視聴用、チューナ３Ｂ及び３Ｃを録画用とする。チューナ３Ｂと３Ｃのそれぞれで選局した放送信号を用いた録画方法の違いについては後述する。
【００２９】
ＴＳ処理部１１は、メイン画面を含めた視聴を行う場合、選局されたチャンネルのＴＳ（Ｔｒａｎｓｐｏｒｔ  Ｓｔｒｅａｍ）が各チューナ３Ａ、３Ｂ、３Ｃから入力され、これら複数のＴＳを１つのＴＳに再多重して、信号処理部１２に出力する。
【００３０】
また、ＴＳ処理部１１は、録画を行う場合、チューナ３Ｂ又は３Ｃで選局された複数のＴＳが各チューナ３Ｂ又は３Ｃから入力され、これら複数のＴＳを１つのＴＳに再多重して、信号処理部１２に出力する。
【００３１】
信号処理部１２は、ＴＳ処理部１１から出力された複数のチャンネルが多重されたＴＳに、適切なデジタル信号処理を施す。デジタル放送信号は、データ信号、映像信号及び音声信号に分離される。この分離されたデータ信号及び映像信号はグラフィック処理部１３に、音声信号は音声処理部１５に、データ信号はＯＳＤ信号生成部１４若しくは制御部１８に、それぞれ出力される。また、録画するためにＴＳ処理部１１によって再多重されたＴＳは、録画再生制御部２２に出力される。
【００３２】
グラフィック処理部１３は、信号処理部１２から出力されるデジタルのデータ信号及び映像信号のデコード処理を行う。デコードされたデータ信号及び映像信号は、ＯＳＤ信号生成部１４から出力されたＯＳＤ信号と重ね合わせて合成され、映像処理部１６に出力される。グラフィック処理部１３は、デコードされたデータ信号、映像信号又はＯＳＤ信号を、映像処理部１６に選択的に出力することもできる。
【００３３】
ＯＳＤ信号生成部１４は、制御部１８の制御に従って、ＵＩ（ユーザ・インタフェース）画面などを表示するためのＯＳＤ信号を生成する。また上述の信号処理部１２において、デジタル放送信号から分離されたデータ信号は、ＯＳＤ信号生成部１４により適切なフォーマットのＯＳＤ信号に変換され、グラフィック処理部１３に出力される。
【００３４】
音声処理部１５は、入力された音声信号を、スピーカ１４０で再生可能なフォーマットのアナログ音声信号に変換する。アナログに変換された音声信号は、スピーカ１４０に出力されて再生される。
【００３５】
映像処理部１６は、グラフィック処理部１３から出力された信号を、ディスプレイ１３０で表示可能なフォーマットのアナログ映像信号に変換する。アナログに変換された映像信号は、ディスプレイ１３０に出力される。本実施の形態において、映像処理部１６は、マルチ画面表示が指示された場合、出力先の画面の座標情報を読み出し、表示制御部４０によって決定されるサブ画面の数に応じてメイン画面及びサブ画面の画面サイズ及び位置を決定し、映像信号の処理を実行する。
【００３６】
ＨＤＤ１７は、音声処理部１５及び映像処理部１６で変換された音声信号及び映像信号やＥＰＧ（番組表情報）を記憶する。
制御部１８は、テレビジョン放送受信装置１００の装置各部の動作を制御する。制御部１８は、ＲＯＭ１９と、ＲＡＭ２０と、不揮発性メモリ２１と、録画再生制御部２２と、表示制御部４０と、ＣＰＵ（Ｃｅｎｔｒａｌ  Ｐｒｏｃｅｓｓｉｎｇ  Ｕｎｉｔ）とを備える。
【００３７】
制御部１８は、操作部２３から入力される操作信号や、リモートコントローラ１５０から送信され受信部２４を介して受信される操作信号に応じて、ＲＯＭ１９に予め記憶されたシステム制御プログラム及び各種処理プログラムを起動させる。制御部１８は、起動したプログラムに従って、ＲＡＭ２０をワークメモリとして装置各部の動作を制御する。
【００３８】
また、制御部１８は、本発明に係る機能部として、表示制御部４０を備えている。即ち、表示制御部４０は、本願に係る表示制御部に該当する。制御部１８は、この表示制御部４０により、後述するマルチ画面表示に関する制御を行う。
【００３９】
ＲＯＭ１９は、ＣＰＵが実行するシステム制御プログラム及び各種処理プログラムを格納するメモリである。
ＲＡＭ２０は、ＣＰＵが各種プログラムを展開するための、いわゆるワーキングメモリである。
不揮発性メモリ２１は、各部の動作制御に必要な各種の設定情報及び制御情報等を格納する。本実施の形態において、設定情報とは例えば初期スキャンにより設定されるテレビジョン放送受信装置１００にて受信可能なチャンネル情報や、チューナ３Ｂ又は３Ｃのそれぞれにて受信し録画を行うと設定されているチャンネル情報等がある。
【００４０】
録画再生制御部２２は、テレビジョン放送受信装置１００の録画及び録画した番組を再生する機能の制御を行う。即ち、録画再生制御部２２は、ＴＳ処理部１１から出力された複数チャンネルが多重されているＴＳをチャンネルごとのＴＳに戻し、ＨＤＤ１７に記録する。
【００４１】
また、録画再生制御部２２は、録画したデータの再生する制御を実行し、ＨＤＤ１７に格納したチャンネルごとのＴＳを読み出して再生させた後、映像表示部１３０に表示させたり、スピーカ１４０から音声出力させたりすることができる。ＬＡＮ対応ＨＤＤ専用ポートとしてのＬＡＮ端子３３を設けることにより、他のネットワーク環境やネットワーク使用状況等に影響されることなく、ＨＤＤ１７に対してハイビジョン画質による番組の情報記録を安定して行うことが可能となる。
【００４２】
本実施の形態において、テレビジョン放送受信装置１００は、２種類の録画方法を備えている。ここで第１の録画方法は、録画対象とする番組を個々に指定する若しくは任意の時間に録画の開始終了を指定する録画方法のことをいう。即ち、第１の録画方法においては、指定した番組を放送している１つの放送波を受信し、ＨＤＤ１７に記録する。この方法は、従来の個々に録画する番組を指定するＨＤＤレコーダ等と同じ録画方法である。第１の録画方法に用いる放送波を受信するチューナを、チューナ３Ｂとする。
【００４３】
第２の録画方法は、個々の番組を指定するのではなく、チャンネル、時間、曜日等の条件を指定し、条件を満たす全ての番組を録画するものである。即ち、条件に該当する複数の放送波を受信し、これらを並行してチャンネルごとにＨＤＤ１７に記録する。第２の録画方法に用いる放送波を受信するチューナを、チューナ３Ｃとする。
【００４４】
表示制御部４０は、複数のチューナによって選局されるチャンネルを同時に表示するマルチ画面表示を実行する。また、表示制御部４０は、マルチ画面表示した各画面について特殊再生等を実行する等の再生制御を行う。
【００４５】
表示制御部４０は、現在放送中の番組と録画番組を並べて表示するマルチ画面表示と、録画番組を並べて表示するマルチ画面表示とを行う。録画番組を並べて表示するマルチ画面表示には、２つの実施の形態がある。第１のマルチ画面表示は、第１の録画方法で録画した録画番組を並べてマルチ画面表示する。第２のマルチ画面表示は、第２の録画方法で録画したチャンネルを並べてマルチ画面表示する。２つのマルチ画面表示の実施の形態については後述する。
【００４６】
操作部２３は、ユーザによる操作に応じた操作信号を受け付け、制御部１８に入力する。操作部２３は、例えばテレビジョン放送受信装置１００のキャビネット１１０に備えられる。
【００４７】
受信部２４は、ユーザによるリモートコントローラ１５０の操作に応じた操作信号を受け付け、制御部１８に入力する。
第１のカードホルダ２６は、第１のカードＩ／Ｆ２５を介して制御部１８に接続されている。第１のカード２７は、この第１のカードＩ／Ｆ２５に装着可能である。第１のカード２７は、例えばＳＤ（Ｓｅｃｕｒｅ  Ｄｉｇｉｔａｌ）メモリーカード、ＭＭＣ（Ｍｕｌｔｉｍｅｄｉａ  Ｃａｒｄ）等の記憶媒体である。第１のカードホルダ２６に装着された第１のカード２７、及び制御部１８は、第１のカードＩ／Ｆ２５を介して情報の伝達を行うことができる。制御部１８は、第１のカード２７に、画像や音楽、放送番組等のデータを格納することができる。また制御部１８は、第１のカード２７に格納された画像や音楽、放送番組等のデータを読み出して、ディスプレイ１３０に表示させたり、スピーカ１４０から音声出力させたりすることができる。
【００４８】
第２のカードホルダ２９は、第２のカードＩ／Ｆ２８を介して制御部１８に接続されている。第２のカード３０は、この第２のカードＩ／Ｆ２８に装着可能である。第２のカード３０は、例えば放送受信契約の契約情報等を記憶する記憶媒体である。第２のカードホルダ２９に装着された第２のカード３０、及び制御部１８は、第１のカードＩ／Ｆ２５を介して情報の伝達を行うことができる。
【００４９】
明るさセンサ３１は、キャビネット１１０外の明るさを検出し、この検出結果を制御部１８に入力する。制御部１８は、入力された明るさに関する検出結果に基づいて、ディスプレイ１３０の輝度を制御する。
【００５０】
ＬＡＮ（Ｌｏｃａｌ  Ａｒｅａ  Ｎｅｔｗｏｒｋ）端子３３は、通信Ｉ／Ｆ３２を介して制御部１８に接続されている。ＬＡＮ端子３３は、イーサネット（登録商標）を用いたＬＡＮ対応ＨＤＤ専用ポートとして使用される。ＬＡＮ端子３３にＬＡＮ対応のＨＤＤがＮＡＳ（Ｎｅｔｗｏｒｋ  Ａｔｔａｃｈｅｄ  Ｓｔｏｒａｇｅ）として接続された場合、ＨＤＤ１７及び制御部１８は、通信Ｉ／Ｆ３２を介して、情報の伝達を行うことができる。この場合、制御部１８は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能し、ＬＡＮ端子３３に接続された当該ＬＡＮ対応のＨＤＤにＩＰ（Ｉｎｔｅｒｎｅｔ  Ｐｒｏｔｏｃｏｌ）アドレスを割り当てて制御している。
【００５１】
通信Ｉ／Ｆ３２を介して制御部１８に接続されるＨＤＤ、ＰＣ、ＤＶＤレコーダ等の機器には、ハードディスクやＤＶＤ（光ディスク）等の記憶媒体を装着することが可能である。制御部１８は、当該記憶媒体に、ハブ及び当該ハブに接続される機器を介して画像や音楽、放送番組等のデータを格納することができる。また制御部１８は、当該記憶媒体に格納された画像や音楽、放送番組等のデータを読み出して、ディスプレイ１３０に表示させたり、スピーカ１４０から音声出力させたりすることができる。
【００５２】
ＵＳＢ（Ｕｎｉｖｅｒｓａｌ  Ｓｅｒｉａｌ  Ｂｕｓ）端子３５は、ＵＳＢ  Ｉ／Ｆ３４を介して制御部１８に接続されている。ＵＳＢ端子３５は、一般的なＵＳＢ対応ポートとして使用される。ＵＳＢ端子３５には、例えばハブを介して、携帯電話、デジタルカメラ、各種メモリーカードに対するカードリーダ／ライタ、ＨＤＤ、キーボード等が接続される。制御部１８は、ＵＳＢ端子３５及びＵＳＢ  Ｉ／Ｆ３４を介して接続される機器との間で、情報の伝達を行うことができる。
【００５３】
ｉ．ＬＩＮＫ端子３７は、ｉ．ＬＩＮＫ  Ｉ／Ｆ３６を介して制御部１８に接続されている。ｉ．ＬＩＮＫ端子３７には、例えばＡＶ−ＨＤＤ、Ｄ（Ｄｉｇｉｔａｌ）−ＶＨＳ（Ｖｉｄｅｏ  Ｈｏｍｅ  Ｓｙｓｔｅｍ）等がシリアル接続される。制御部１８は、ｉ．ＬＩＮＫ端子３７及びｉ．ＬＩＮＫ  Ｉ／Ｆ３６を介して接続される機器との間で、情報の伝達を行うことができる。
【００５４】
ＨＤＭＩ端子３９は、ＨＤＭＩ  Ｉ／Ｆ３８を介して制御部１８に接続されている。ＨＤＭＩ端子３９には、例えばパーソナルコンピュータや液晶ディスプレイやＡＶアンプ等に接続される。制御部１８は、ＨＤＭＩ端子３９及びＨＤＭＩ  Ｉ／Ｆ３８を介して接続される機器との間で、情報の伝達を行うことができる。
【００５５】
次に、マルチ画面キー１５０ｊによって指示される第１のマルチ画面表示について図４〜７を用いて説明する。
図４は、第１の実施の形態におけるマルチ画面表示２００の一例を示す図である。マルチ画面表示２００は、スピーカ１４０から出力される音声に対応させた映像を出力する１つのメイン画面と、映像のみが出力される１つ以上のサブ画面から構成される。本明細書においては、２画面表示を例に説明する。
【００５６】
マルチ画面表示２００には、音声出力マーク２０１と、操作権マーク２０２と、第１の番組詳細ウィンドウ２０３と、第２の番組詳細ウィンドウ２０４と、第１の画面２０５と、第２の画面２０６と、第１の再生動作ウィンドウ２０７と、第１の画面の再生動作２０８と、第２の再生動作ウィンドウ２０９と、第２の画面の再生動作２１０とを表示する。
【００５７】
音声出力マーク２０１は、スピーカ１４０から画面で表示している映像に対応する音声を出力していることを示す。即ち、音声出力マーク２０１は、メイン画面側に表示される。
【００５８】
操作権マーク２０２は、ユーザにより操作可能であることを示す。即ち、操作権マーク２０２が表示されている側の画面について、特殊再生操作を実行可能である。
第１の番組詳細ウィンドウ２０３及び第２の番組詳細ウィンドウ２０４は、それぞれ第１の画面２０５と第２の画面２０６の番組情報を示す。例えば番組情報とは、記録先、番組タイトル、チャンネル情報である。
【００５９】
第１の画面２０５及び第２の画面２０６は、マルチ画面表示すると選択された映像を表示する画面である。第１の画面２０５及び第２の画面２０６の選択は例えば、第１の録画方法で録画された番組をリスト表示した録画リスト中から選択する。録画リストは、全画面表示しても良いし、第１の画面２０５や第２の画面２０６の枠内に重ねて表示するとしても良い。
【００６０】
第１の再生動作ウィンドウ２０７と第２の再生動作ウィンドウ２０９は、それぞれ第１の画面２０５と第２の画面２０６それぞれの再生位置情報及び再生動作マークを示す。再生位置情報としては、選択された番組について時刻を目盛とした棒状の領域で録画時間を示したスライダバーと、このスライダバー上に現在視聴している映像信号の録画時刻に対応する位置を示すポインタが示される。また、このスライダバーの両端には、現在視聴している映像信号の録画時刻を示す表示と、視聴している番組の全録画時間が表示される。
【００６１】
また、第１の再生動作ウィンドウ２０７と第２の再生動作ウィンドウ２０９には、それぞれ第１の画面の再生動作２０８と第２の画面の再生動作２１０が表示され、再生動作の状態をマークで示す。動作状態とは例えば、早送り、巻き戻し、停止、再生、追っかけ再生、次番組スキップ、前番組スキップ等の再生動作状態である。テレビジョン放送受信装置１００の動作は、リモートコントローラ１５０の特殊再生キー１５０ｉを押下することで指示される。図４においては、第１の画面２０５及び第２の画面２０６共に再生中であることを表示している。
【００６２】
次に、図４に示すマルチ画面表示２００において操作権の切替が指示された場合の表示制御について説明する。
図５は、第１の実施の形態におけるマルチ画面表示における表示制御を示す第１の図である。
図５の上段は操作権が第１の画面２０５にある状態を示す図で、図５下段は操作権を第１の画面２０５から第２の画面２０６に切替後の状態を示す図である。操作権の切替は、カーソルキー１５０ｆの左右を押下することで行う。
【００６３】
図５に示すように、操作権の切替を実行すると、操作権マーク２０２及び音声出力マーク２０１の表示が遷移する。また図５下段に示すように、操作権切替を実行後は、操作権が無い方の画面（第１の画面２０５）を一時停止する。
【００６４】
操作権切替を行う場合としては、操作権の切替先の画面（第２の画面２０６）を注視して、特殊再生等を開始することが予想される。従って、操作権の無い画面（第１の画面２０５）の再生を一時停止し、ユーザが第２の画面２０６に注目している間に第１の画面２０５の再生が進むことを抑制する。即ち、操作権の無い画面における見逃しの発生を抑制することができる。
【００６５】
次に、図５に示した操作権切替後の表示制御について説明する。
図６は、第１の実施の形態におけるマルチ画面表示２００における表示制御を示す第２の図である。
図６上段は、図５下段に示したように、操作権切替に伴い操作権の無い方の画面を一時停止した状態を示す。図６下段は、図６上段に示した状態から、所定時間無操作状態が経過した状態を示す。図６下段に示すように、操作権切替後に所定時間無操作であった場合には、一時停止していた第１の画面２０５の再生を再開する。即ち、操作権を切替後に、ユーザによって何らコマンド入力がされない場合には操作権を有する第２の画面２０６について特殊再生等を行わず通常の視聴を再開したとみなし、操作権の無い第１の画面２０５についても再生を再開する。このように操作権の無い画面の一時停止についてタイムアウト機能を設けることで、ユーザが操作権を遷移させて再生指示する手間を省くことができる。
【００６６】
次に、図７を用いて、操作権を有する画面について特殊再生を行う場合の表示制御について説明する。
図７は、第１の実施の形態におけるマルチ画面表示２００における表示制御を示す第３の図である。
図７上段は、図５下段に示した状態から、操作権の有る画面について特殊再生を実行している状態を示す。図７上段の例においては、第２の画面の再生動作２１０に示すように早送りを実行している。図７下段は、図７上段に示した状態から、第２の画面２０６について通常の再生が指示された状態を示す。第２の画面２０６の再生が再開されると共に、一時停止していた第１の画面２０５も第２の画面２０６に連動して再生を再開する。即ち、第２の画面２０６の再生を再開すると、ユーザが視聴を開始すると見なし、一時停止していた第１の画面２０５の再生も再開する。従って、操作権の無い画面である第１の画面２０５に操作権を遷移させ、再生を指示する手間なく自動的に再生が再開される。
【００６７】
次に、第１のマルチ画面表示における表示制御の手順を説明する。
図８は、第１の実施の形態におけるマルチ画面表示制御２００のフローチャートを示す図である。
まず、表示制御部４０は、リモートコントローラ１５０からの入力コマンドが操作権切替を示すか否かを判別する（ステップＳ１１）。ステップＳ１１で判別した結果、入力コマンドが操作権切替を示すと判別した場合（ステップＳ１１のＹｅｓ）、次に表示制御部４０は、操作権切替を実行し、操作権無しの画面を一時停止する（ステップＳ１２）。
【００６８】
次に、表示制御部４０は、操作権有りの画面において、無操作状態で所定時間が経過したか否かを判別する（ステップＳ１３）。ステップＳ１３で判別した結果、無操作状態で所定時間が経過していないと判別した場合（ステップＳ１３のＮｏ）、ステップＳ１１に戻る。一方、ステップＳ１３で判別した結果、無操作状態で所定時間が経過したと判別した場合（ステップＳ１３のＹｅｓ）、表示制御部４０は操作権無しの画面の一時停止を解除する（ステップＳ１４）。
【００６９】
一方、ステップＳ１１で判別した結果、入力コマンドが操作権切替を示さないと判別した場合（ステップＳ１１のＮｏ）、表示制御部４０は、入力コマンドは特殊再生を示すか否かを判別する（ステップＳ１５）。ステップＳ１５で判別した結果、入力コマンドが特殊再生を示すと判別した場合（ステップＳ１５のＹｅｓ）、表示制御部４０は、操作権有りの画面に特殊再生を実行し、操作権無しの画面は一時停止する（ステップＳ１６）。
【００７０】
次に、表示制御部４０は操作権有りの画面において再生が再開されたか否かを判別する（ステップＳ１７）。ステップＳ１７で判別した結果、操作権有りの画面の再生が再開されていないと判別した場合（ステップＳ１７のＮｏ）、ステップＳ１７に戻る。一方、ステップＳ１７で判別した結果、操作権有りの画面の再生が再開されたと判別した場合（ステップＳ１７のＹｅｓ）、ステップＳ１４に進む。
【００７１】
一方、ステップＳ１５で判別した結果、入力コマンドが特殊再生を示さないと判別した場合（ステップＳ１５のＮｏ）、表示制御部４０は入力コマンドが一時停止を示すか否かを判別する（ステップＳ１８）。ステップＳ１８で判別した結果、入力コマンドが一時停止を示すと判別した場合（ステップＳ１８のＹｅｓ）、操作権有りの画面を一時停止し、操作権無しの画面の再生は継続する（ステップＳ１９）。一方、ステップＳ１８で判別した結果、入力コマンドは一時停止を示さないと判別した結果（ステップＳ１８のＮｏ）、入力コマンドを実行する（ステップＳ２０）。例えば、再生を終了することを示すコマンドがある。以上で、表示制御部４０が実行する表示制御手順を終了する。
【００７２】
以上のように構成される第１の実施の形態によれば、マルチ画面表示中にユーザが１の画面に注目する際に、他の画面についての再生を一時停止することが出来る。ユーザが１の画面に注目する場合とは、１の画面について特殊再生を指示する際や、マルチ画面間で操作権を移す場合等がある。１の画面に注目する場合には、他の画面を見ていない状態で再生が進んでしまい見逃してしまう場面が発生してしまう。また、他の画面において見逃した場面を視聴するためには、操作権を遷移させて巻き戻すという手間がかかる。
【００７３】
第１の実施の形態によれば、ユーザが１の画面に注目することが考えられる状況において、注目していない画面の再生を自動的に一時停止するため、見逃し場面の発生を抑制することができる。更に、ユーザが注目している画面が特殊再生等された後に再生が再開されると、ユーザが視聴を再開するとみなし他の画面も連動して再生を再開する。よって、一時停止していた画面について再生指示をすることなく、マルチ画面による視聴が再開される。
【００７４】
次に、図９〜１２を用いて第２の実施の形態について説明する、
図９は、第２の実施の形態におけるマルチ画面表示２００における表示制御を示す第１の図である。第２のマルチ画面表示２００は、第２の録画方法で録画したチャンネルを並べて表示する。
【００７５】
第１の画面２０５及び第２の画面２０６の選択は例えば、第２の録画方法で録画された番組を過去番組表の中から選択する。過去番組表は、全画面表示しても良いし、第１の画面２０５や第２の画面２０６の枠内に重ねて表示するとしても良い。
【００７６】
図９中段は、第２のマルチ画面表示において第１の画面２０５及び第２の画面２０６の両画面を再生している状態を示す。第２の実施の形態においては、第１の番組詳細ウィンドウ２０３及び第２の番組詳細ウィンドウ２０４に録画時刻を横軸にしたスライダバーを表示し、このスライダバー上に現在視聴している映像信号の録画時刻に対応する位置を示すポインタと再生位置の録画時刻を示す。第２のマルチ画面表示２００においては、録画時刻を表示することで過去のある時点に遡ったような状況で録画番組を再生する。
【００７７】
第２のマルチ画面表示２００においては、表示制御について２つのモードを選択することができる。第１のモードは図９上段に示すように、第１の画面２０５に特殊再生を指示した場合、第２の画面２０６を一時停止する。一方、第２のモードは図９下段に示すように、第１の画面２０５に特殊再生を指示した場合、第２の画面２０６を連動して特殊再生する。
【００７８】
まず、第２のマルチ画面表示における第１のモードについて図１０を用いて説明する。
図１０は、第２の実施の形態におけるマルチ画面表示２００における表示制御を示す第２の図である。
図１０上段に示すように、第１のモードでは、第１の画面２０５を特殊再生している間は、第２の画面２０６を一時停止する。操作権の有る第１の画面２０５に対して再生再開の指示がされた場合、第２の画面２０６も再生を再開させる。即ち、第１のモードにおいては、第１の画面２０５の特殊再生中は第２の画面２０６の再生が停止するので番組を見逃すことが無い。
【００７９】
図１０下段に示すように、操作権の有る第１の画面２０５に対して再生再開が指示されると、一時停止していた第２の画面２０６も連動して再生を再開する。即ち、操作権の無い第２の画面２０６は、操作権のある第１の画面２０５の再生再開をトリガにして再生を再開するため、第２の画面２０６に対して再生指示をする手間がかからない。
【００８０】
次に、第２のマルチ画面表示における第２のモードについて図１１を用いて説明する。
図１１は、第２の実施の形態におけるマルチ画面表示２００における表示制御を示す第３の図である。
図１１上段に示すように、第２のモードでは、第１の画面２０５を特殊再生している間は、連動して第２の画面２０６についても第１の画面２０５と同様の特殊再生を実行する。図１１下段に示すように、操作権の有る第１の画面２０５に対して再生再開が指示されると、第２の画面２０６も連動して再生を再開する。即ち、第２のモードでは、第１の画面２０５を特殊再生すると第２の画面２０６も連動して同様の特殊再生が実行されるため、マルチ画面表示２００される複数のチャンネル間で再生している録画時刻がずれることが無い。従って、第２のモードによれば、マルチ画面表示２００において１の画面に対して特殊再生を行った場合にも、他の画面についても同様に特殊再生を行うため、特殊再生した後に再生を再開した場合にも、過去のある時点に遡ったようなマルチ画面表示を継続することが出来る。
【００８１】
第２の実施の形態における２つのモードは、例えば「タイムマシンモードを優先するか」というメッセージをディスプレイ１３０に表示し、このＵＩ上でユーザにより選択可能とする。タイムマシンモードとは、過去に遡ってリアルタイムで放送を視聴しているように、録画時刻に沿って録画番組を再生するモードである。即ち、「タイムマシンモードを優先する」とは、即ち第２のマルチ画面表示における第２のモードを選択することである。
【００８２】
次に、図１２を用いて、第２の実施の形態におけるマルチ画面表示２００の表示制御手順を説明する。
図１２は、第２の実施の形態におけるマルチ画面表示制御のフローチャートを示す図である。
まず、表示制御部４０は、第２のモードが選択されているか否かを判別する（ステップＳ２１）。ステップＳ２１で判別した結果、第２のモードが選択されていないと判別した場合（ステップＳ２１のＮｏ）、図１のステップＳ１１に進む。一方、ステップＳ２１で判別した結果、第２のモードが選択されていると判別した場合（ステップＳ２１のＹｅｓ）、表示制御部４０は入力コマンドが操作権切替を示すか否かを判別する（ステップＳ２２）。
【００８３】
ステップＳ２２で判別した結果、入力コマンドが操作権切替を示すと判別した場合（ステップＳ２２のＹｅｓ）、次に表示制御部４０は、操作権切替を実行し、両画面の再生を継続する（ステップＳ２３）。
【００８４】
一方、ステップＳ２２で判別した結果、入力コマンドが操作権切替を示さないと判別した場合（ステップＳ２２のＮｏ）、表示制御部４０は、入力コマンドは特殊再生を示すか否かを判別する（ステップＳ２４）。ステップＳ２４で判別した結果、入力コマンドが特殊再生を示すと判別した場合（ステップＳ２４のＹｅｓ）、表示制御部４０は、両画面に特殊再生を実行する（ステップＳ２５）。
【００８５】
次に、表示制御部４０は操作権有りの画面において再生が再開されたか否かを判別する（ステップＳ２６）。ステップＳ２６で判別した結果、操作権有りの画面の再生が再開されていないと判別した場合（ステップＳ２６のＮｏ）、ステップＳ２６に戻る。一方、ステップＳ２６で判別した結果、操作権有りの画面の再生が再開されたと判別した場合（ステップＳ２６のＹｅｓ）、両画面を再生再開する（ステップＳ２７）。
【００８６】
一方、ステップＳ２４で判別した結果、入力コマンドが特殊再生を示さないと判別した場合（ステップＳ２４のＮｏ）、表示制御部４０は入力コマンドが一時停止を示すか否かを判別する（ステップＳ２８）。ステップＳ２８で判別した結果、入力コマンドが一時停止を示すと判別した場合（ステップＳ２８のＹｅｓ）、両画面を一時停止する（ステップＳ２９）。一方、ステップＳ２８で判別した結果、入力コマンドは一時停止を示さないと判別した結果（ステップＳ２８のＮｏ）、入力コマンドを実行する（ステップＳ３０）。例えば、再生を終了することを示すコマンドがある。以上で、表示制御部４０が実行する表示制御手順を終了する。
【００８７】
以上のように構成される第２の実施の形態によれば、同一時刻に放送された複数のチャンネルを録画したもののマルチ画面表示中にユーザが１の画面に注目する場合に、他の画面を一時停止する第１のモードと、他の画面をユーザが操作している画面と連動させる第２のモードとを選択することができる。他の画面を一時停止する第１のモードにおいては、第１の実施の形態と同様にユーザが１の画面に注目して特殊再生等を実行する場合に、他の画面の再生が進まないように一時停止をすることで見逃し場面の発生を抑制することができる。また、ユーザが注目している画面の再生再開に伴って、一時停止していた他の画面についても再生を再開することで、他の画面に操作権を遷移させて再生を指示することなく、マルチ画面表示による視聴を再開することができる。
【００８８】
一方、他の画面をユーザが操作している画面と連動させる第２のモードにおいては、１の画面について特殊再生を行った場合にも、複数のチャンネルの録画時刻がずれずにマルチ画面表示における視聴が実現する。即ち、１の画面について特殊再生を実行した後にも、同時刻に録画した他のチャンネルの番組をマルチ画面表示にて視聴することが可能である。従って、特殊再生を実行しても、過去のある時点に遡ったようなマルチ画面表示を継続することができる。
【００８９】
以上の説明においては、録画番組をマルチ画面表示するときの表示制御の説明をしたが、現在放送している番組を含めてマルチ画面表示する場合も同様である。即ち、放送中の番組画面に操作権があり、チャンネル変更等の入力コマンドがあった場合、操作権の無い画面の再生を一時停止する。
【００９０】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００９１】
１…アンテナ、２…入力端子、３…チューナ、１１…ＴＳ処理部、１２…信号処理部、１３…グラフィック処理部、１４…ＯＳＤ信号生成部、１５…音声処理部、１６…映像処理部、１７…ＨＤＤ、１８…制御部、１９…ＲＯＭ、２０…ＲＡＭ、２１…不揮発性メモリ、２２…録画再生制御部、２３…操作部、２４…受信部、２５…第１のカードＩ／Ｆ、２６…第１のカードホルダ、２７…第１のカード、２８…第２のカードＩ／Ｆ、２９…第２のカードホルダ、３０…第２のカード、３１…明るさセンサ、３２…通信Ｉ／Ｆ、３３…ＬＡＮ端子、３４…ＵＳＢ…Ｉ／Ｆ、３５…ＵＳＢ端子、３６…ｉ．ＬＩＮＫ…Ｉ／Ｆ、３７…ｉ．ＬＩＮＫ端子、３８…ＨＤＭＩ…Ｉ／Ｆ、３９…ＨＤＭＩ端子、４０…録画再生制御部、１００…テレビジョン放送受信装置、１１０…キャビネット、１２０…支持台、１３０…映像表示部、１４０…スピーカ、１５０…リモートコントローラ、１５０ａ…電源キー、１５０ｂ…放送切替キー、１５０ｃ…ダイレクト選局キー、１５０ｄ…音量調節キー、１５０ｅ…チャンネルアップダウンキー、１５０ｆ…フォーカスキー、１５０ｇ…決定キー、１５０ｈ…カラーキー、１５０ｉ…特殊再生キー、１５０ｊ…録画リストキー、１５０ｋ…番組表キー、２００…マルチ画面表示、２０１…音声出力マーク、２０２…操作権マーク、２０３…第１の番組詳細ウィンドウ、２０４…第２の番組詳細ウィンドウ、２０５…第１の画面、２０６…第２の画面、２０７…第１の再生動作ウィンドウ、２０８…第１の画面の再生動作、２０９…第２の再生動作ウィンドウ、２１０…第２の画面の再生動作。
【図１】
2011217188.tif 000003
【図２】
2011217188.tif 000004
【図３】
2011217188.tif 000005
【図４】
2011217188.tif 000006
【図５】
2011217188.tif 000007
【図６】
2011217188.tif 000008
【図７】
2011217188.tif 000009
【図８】
2011217188.tif 000010
【図９】
2011217188.tif 000011
【図１０】
2011217188.tif 000012
【図１１】
2011217188.tif 000013
【図１２】
2011217188.tif 000014